(57)【要約】【課題】航空機に備え付けられる機用品について、簡単且つ迅速に、備え付け状況を点検する。【解決手段】第一対応テーブル記憶部１Ｂは、複数の航空機ごとに作成され、航空機を識別する機番情報と、機用品が備え付けられるべき位置に係る位置情報と、機用品の機用品識別情報とが関連付けられた対応テーブルを記憶している。そして、機番情報と共に、当該機番情報に係る対応テーブルの展開要求を受け付けると、第一対応テーブル記憶部１Ｂから抽出された対応テーブルが表示部２１に表示される。識別タグから機用品識別情報を受信すると、照合処理部１５は対応テーブルと照合し、照合の結果が表示される。さらに、登録処理部１９は、機用品の備え付けが確認されなかった位置に係る位置情報に対し、新たな機用品識別情報を受け付け、当該位置情報と、当該新たな機用品識別情報とを関連付けて上記展開されている対応テーブルに更新登録する【選択図】図３
2011225044.tif 000002
【特許請求の範囲】
【請求項１】
航空機に備え付けられる機用品を識別する機用品識別情報を記憶すると共に、当該機用品識別情報を非接触通信により送信可能な識別タグが取り付けられた機用品が、所定の位置に備え付けられているか否かを管理する装置であって、
複数の航空機ごとに作成され、上記航空機を識別する機番情報と、各航空機において上記機用品が備え付けられるべき位置に係る位置情報と、当該位置ごとに備え付けられた機用品の機用品識別情報とが関連付けられた対応テーブルを記憶した第一の対応テーブル記憶手段と、
機番情報と共に、当該機番情報に係る対応テーブルの展開要求の入力を受け付けた際、上記第一の対応テーブル記憶手段を参照して、上記入力を受け付けた機番情報に基づく対応テーブルを抽出する対応テーブル抽出手段と、
上記抽出された対応テーブルを、表示手段に表示させる対応テーブル展開手段と、
上記機用品に取り付けられた識別タグから、非接触通信により、上記機用品識別情報を受信する機用品識別情報受信手段と、
上記展開された対応テーブルを参照して、上記受信した機用品識別情報が、上記展開された対応テーブルに記憶されているものであるか否かを照合する照合処理手段と、
上記照合の結果、上記受信した機用品識別情報が、上記展開された対応テーブルに記憶されているものであった場合に、当該機用品識別情報に係る機用品が所定の位置に備え付けられていることを示す確認表示を表示手段に表示させる結果反映手段と、
上記航空機に備え付けられている全ての識別タグから上記機用品識別情報を受信した結果、上記機用品が備え付けられるべき位置であって、上記展開された対応テーブルにおいて関連付けられている機用品識別情報を受信せず、上記機用品の備え付けが確認されなかった位置に係る位置情報に対し、新たな機用品識別情報を受け付け、当該位置情報と、当該新たな機用品識別情報とを関連付けて上記展開されている対応テーブルに更新登録する登録処理手段と、を有する、
ことを特徴とする機用品管理装置。
【請求項２】
上記対応テーブルにおいてはさらに、上記機用品識別情報ごとに、上記機用品の有効期限が関連付けられており、
現在日時を計時する計時手段と、
上記照合手段による照合の結果、上記受信した機用品識別情報が、上記展開された対応テーブルに記憶されているものであった場合に、上記第一の対応テーブルを参照して、上記受信した機用品識別情報と関連付けられた有効期限と、上記計時手段により計時された現在日時とに基づき、当該現在日時が当該有効期限を過ぎているか否かを判別する期限判別手段と、をさらに有し、
上記結果表示手段は、上記期限判定手段によって上記機用品の有効期限が過ぎていると判別された場合に、上記受信した機用品識別情報に係る機用品の有効期限が過ぎている旨の表示を表示手段に表示させる、
請求項１記載の機用品管理装置。
【請求項３】
上記期限判別手段はさらに、上記受信した機用品識別情報と関連付けられた有効期限と、上記計時手段により計時された現在日時とに基づき、当該現在日時から当該有効期限に至る期間が所定の期間に至ったか否かを判別し、
上記結果反映手段はさらに、上記期限判定手段によって上記機用品の有効期限が、現在日時から所定の期間に至ったものと判別された場合に、上記受信した機用品識別情報に係る機用品の有効期限が迫っている旨の表示を表示手段に表示させる、
請求項２記載の機用品管理装置。
【請求項４】
上記対応テーブルを記憶する第二の対応テーブル記憶手段と、上記登録処理手段により更新登録された対応テーブルを取得すると共に、当該更新登録された対応テーブルを上記第二の対応テーブル記憶手段に記憶して上記第二の対応テーブル記憶手段を更新する更新処理手段とを備えた管理サーバと、データの授受が可能に構成され、
上記管理サーバから、上記対応テーブルを取得する対応テーブル取得手段と、
上記登録処理手段により更新登録された対応テーブルを、上記管理サーバに提供する対応テーブル供給手段と、をさらに有する、
請求項１乃至３いずれかの項に記載の機用品管理装置。
【請求項５】
上記識別タグはパッシブ型ＲＦＩＤである、
請求項１乃至４いずれかの項に記載の機用品管理装置。
【請求項６】
上記識別タグに対し、上記機用品識別情報を受信するために発信される電波が指向性を有する、
請求項１乃至５いずれかの項に記載の機用品管理装置。
【請求項７】
複数の航空機ごとに作成され、上記航空機を識別する機番情報と、各航空機において機用品が備え付けられるべき位置に係る位置情報と、当該位置ごとに備え付けられた機用品の機用品識別情報とが関連付けられた対応テーブルを記憶した第一の対応テーブル記憶手段、を有し、
航空機に備え付けられる機用品を識別する機用品識別情報を記憶すると共に、当該機用品識別情報を非接触通信により送信可能な識別タグが取り付けられた機用品が、所定の位置に備え付けられているか否かを管理する方法であって、
機番情報と共に、当該機番情報に係る対応テーブルの展開要求の入力を受け付けた際、上記第一の対応テーブル記憶手段を参照して、上記入力を受け付けた機番情報に基づく対応テーブルを抽出する処理と、
上記抽出された対応テーブルを、表示手段に表示させる処理と、
上記機用品に取り付けられた識別タグから、非接触通信により、上記機用品識別情報を受信する処理と、
上記展開された対応テーブルを参照して、上記受信した機用品識別情報が、上記展開された対応テーブルに記憶されているものであるか否かを照合する処理と、
上記照合の結果、上記受信した機用品識別情報が、上記展開された対応テーブルに記憶されているものであった場合に、当該機用品識別情報に係る機用品が所定の位置に備え付けられていることを示す確認表示を表示手段に表示させる処理と、
上記航空機に備え付けられている全ての識別タグから上記機用品識別情報を受信した結果、上記機用品が備え付けられるべき位置であって、上記展開された対応テーブルにおいて関連付けられている機用品識別情報を受信せず、上記機用品の備え付けが確認されなかった位置に係る位置情報に対し、新たな機用品識別情報を受け付け、当該位置情報と、当該新たな機用品識別情報とを関連付けて上記展開されている対応テーブルに更新登録する処理と、を実行する、
ことを特徴とする機用品管理方法。
【請求項８】
複数の航空機ごとに作成され、上記航空機を識別する機番情報と、各航空機において機用品が備え付けられるべき位置に係る位置情報と、当該位置ごとに備え付けられた機用品の機用品識別情報とが関連付けられた対応テーブルを記憶した第一の対応テーブル記憶手段、を有するコンピュータを、
航空機に備え付けられる機用品を識別する機用品識別情報を記憶すると共に、当該機用品識別情報を非接触通信により送信可能な識別タグが取り付けられた機用品が、所定の位置に備え付けられているか否かを管理する機用品管理装置として機能させるためのコンピュータプログラムであって、
上記コンピュータに対して、
機番情報と共に、当該機番情報に係る対応テーブルの展開要求の入力を受け付けた際、上記第一の対応テーブル記憶手段を参照して、上記入力を受け付けた機番情報に基づく対応テーブルを抽出する処理と、
上記抽出された対応テーブルを、表示手段に表示させる処理と、
上記機用品に取り付けられた識別タグから、非接触通信により、上記機用品識別情報を受信する処理と、
上記展開された対応テーブルを参照して、上記受信した機用品識別情報が、上記展開された対応テーブルに記憶されているものであるか否かを照合する処理と、
上記照合の結果、上記受信した機用品識別情報が、上記展開された対応テーブルに記憶されているものであった場合に、当該機用品識別情報に係る機用品が所定の位置に備え付けられていることを示す確認表示を表示手段に表示させる処理と、
上記航空機に備え付けられている全ての識別タグから上記機用品識別情報を受信した結果、上記機用品が備え付けられるべき位置であって、上記展開された対応テーブルにおいて関連付けられている機用品識別情報を受信せず、上記機用品の備え付けが確認されなかった位置に係る位置情報に対し、新たな機用品識別情報を受け付け、当該位置情報と、当該新たな機用品識別情報とを関連付けて上記展開されている対応テーブルに更新登録する処理と、を実行させる、
コンピュータプログラム。
【発明の詳細な説明】
【技術分野】
【０００１】
本発明は、航空機に取り付けられる機用品の備え付け状況を管理する技術に関する。
【背景技術】
【０００２】
航空機に搭載するライフベスト等の機用品は、法律により毎就航前に員数点検をすることが義務付けられており、多くの航空会社においては客室乗務員等が目視による点検を行っている。
【０００３】
しかしながら、機用品の多くは、客席の下などの目立たない場所に格納されており、目視による点検は、点検する者にとって大きな負担である。
さらに、厳格なスケジュールのもとに運航している航空機において、点検に時間がかかり過ぎると、スケジュールの遅延や中止等を招いて、甚大な損害が発生しかねないし、点検ミスは安全性確保における重大な問題となり得る。
【０００４】
この点、特許文献１では、部品、器材、資材等を含む航空器材等の予備機材を保管するストアでの該予備器材の在庫、品質、資産又は物流等の管理方法において、前記予備機材の識別情報が入力されたＩＣチップを備える、ＩＣチップタグを前記予備機材に添付し、且つ、前記予備機材を輸送するための輸送用コンテナの識別情報及び該コンテナ内の予備機材の識別情報が入力されたＩＣチップを備えるＩＣチップタグを前記輸送用コンテナに添付して、前記予備機材の輸送部門での処理時、該輸送部門から前記ストアへの搬入時並びに該ストアからの搬出時に、前記ＩＣチップから前記識別情報を読み取り、処理することによって、前記予備機材の在庫、品質、資産又は物流等の管理を行う方法が提案されている。
【先行技術文献】
【特許文献】
【０００５】
【特許文献１】特開２００４−２６２６１７号公報
【発明の概要】
【発明が解決しようとする課題】
【０００６】
上記特許文献１記載の方法は、予備機材にＩＣチップを取り付けることで、在庫や物流等の管理を行っているが、この技術では、予備機材の種類や量を把握することができても、こういった予備機材を所定の位置に配した際、当該位置に備え付けられているかを確認することができない。
【０００７】
そこで、本発明は、航空機に備え付けられる機用品について、簡単且つ迅速に、備え付け状況を点検することを目的とする。
【課題を解決するための手段】
【０００８】
上記目的を達成するため、本発明の一の観点に係る機用品管理装置は、航空機に備え付けられる機用品を識別する機用品識別情報を記憶すると共に、当該機用品識別情報を非接触通信により送信可能な識別タグが取り付けられた機用品が、所定の位置に備え付けられているか否かを管理する装置であって、複数の航空機ごとに作成され、上記航空機を識別する機番情報と、各航空機において上記機用品が備え付けられるべき位置に係る位置情報と、当該位置ごとに備え付けられた機用品の機用品識別情報とが関連付けられた対応テーブルを記憶した第一の対応テーブル記憶手段と、機番情報と共に、当該機番情報に係る対応テーブルの展開要求の入力を受け付けた際、上記第一の対応テーブル記憶手段を参照して、上記入力を受け付けた機番情報に基づく対応テーブルを抽出する対応テーブル抽出手段と、上記抽出された対応テーブルを、表示手段に表示させる対応テーブル展開手段と、上記機用品に取り付けられた識別タグから、非接触通信により、上記機用品識別情報を受信する機用品識別情報受信手段と、上記展開された対応テーブルを参照して、上記受信した機用品識別情報が、上記展開された対応テーブルに記憶されているものであるか否かを照合する照合処理手段と、上記照合の結果、上記受信した機用品識別情報が、上記展開された対応テーブルに記憶されているものであった場合に、当該機用品識別情報に係る機用品が所定の位置に備え付けられていることを示す確認表示を表示手段に表示させる結果反映手段と、上記航空機に備え付けられている全ての識別タグから上記機用品識別情報を受信した結果、上記機用品が備え付けられるべき位置であって、上記展開された対応テーブルにおいて関連付けられている機用品識別情報を受信せず、上記機用品の備え付けが確認されなかった位置に係る位置情報に対し、新たな機用品識別情報を受け付け、当該位置情報と、当該新たな機用品識別情報とを関連付けて上記展開されている対応テーブルに更新登録する登録処理手段と、を有することを特徴とする。
【０００９】
また、上記対応テーブルにおいてはさらに、上記機用品識別情報ごとに、上記機用品の有効期限が関連付けられており、現在日時を計時する計時手段と、上記照合手段による照合の結果、上記受信した機用品識別情報が、上記展開された対応テーブルに記憶されているものであった場合に、上記第一の対応テーブルを参照して、上記受信した機用品識別情報と関連付けられた有効期限と、上記計時手段により計時された現在日時とに基づき、当該現在日時が当該有効期限を過ぎているか否かを判別する期限判別手段と、をさらに有し、上記結果表示手段は、上記期限判定手段によって上記機用品の有効期限が過ぎていると判別された場合に、上記受信した機用品識別情報に係る機用品の有効期限が過ぎている旨の表示を表示手段に表示させるものとしてもよい。
【００１０】
また、上記期限判別手段はさらに、上記受信した機用品識別情報と関連付けられた有効期限と、上記計時手段により計時された現在日時とに基づき、当該現在日時から当該有効期限に至る期間が所定の期間に至ったか否かを判別し、上記結果反映手段はさらに、上記期限判定手段によって上記機用品の有効期限が、現在日時から所定の期間に至ったものと判別された場合に、上記受信した機用品識別情報に係る機用品の有効期限が迫っている旨の表示を表示手段に表示させるものとしてもよい。
【００１１】
また、上記対応テーブルを記憶する第二の対応テーブル記憶手段と、上記登録処理手段により更新登録された対応テーブルを取得すると共に、当該更新登録された対応テーブルを上記第二の対応テーブル記憶手段に記憶して上記第二の対応テーブル記憶手段を更新する更新処理手段とを備えた管理サーバと、データの授受が可能に構成され、上記管理サーバから、上記対応テーブルを取得する対応テーブル取得手段と、上記登録処理手段により更新登録された対応テーブルを、上記管理サーバに提供する対応テーブル供給手段と、をさらに有するものとしてもよい。
【００１２】
また、上記識別タグはパッシブ型ＲＦＩＤであるものとしてもよい。
【００１３】
また、上記識別タグに対し、上記機用品識別情報を受信するために発信される電波が指向性を有するものとしてもよい。
【００１４】
また、本発明の別の観点に係る機用品管理方法は、複数の航空機ごとに作成され、上記航空機を識別する機番情報と、各航空機において機用品が備え付けられるべき位置に係る位置情報と、当該位置ごとに備え付けられた機用品の機用品識別情報とが関連付けられた対応テーブルを記憶した第一の対応テーブル記憶手段、を有し、航空機に備え付けられる機用品を識別する機用品識別情報を記憶すると共に、当該機用品識別情報を非接触通信により送信可能な識別タグが取り付けられた機用品が、所定の位置に備え付けられているか否かを管理する方法であって、機番情報と共に、当該機番情報に係る対応テーブルの展開要求の入力を受け付けた際、上記第一の対応テーブル記憶手段を参照して、上記入力を受け付けた機番情報に基づく対応テーブルを抽出する処理と、上記抽出された対応テーブルを、表示手段に表示させる処理と、上記機用品に取り付けられた識別タグから、非接触通信により、上記機用品識別情報を受信する処理と、上記展開された対応テーブルを参照して、上記受信した機用品識別情報が、上記展開された対応テーブルに記憶されているものであるか否かを照合する処理と、上記照合の結果、上記受信した機用品識別情報が、上記展開された対応テーブルに記憶されているものであった場合に、当該機用品識別情報に係る機用品が所定の位置に備え付けられていることを示す確認表示を表示手段に表示させる処理と、上記航空機に備え付けられている全ての識別タグから上記機用品識別情報を受信した結果、上記機用品が備え付けられるべき位置であって、上記展開された対応テーブルにおいて関連付けられている機用品識別情報を受信せず、上記機用品の備え付けが確認されなかった位置に係る位置情報に対し、新たな機用品識別情報を受け付け、当該位置情報と、当該新たな機用品識別情報とを関連付けて上記展開されている対応テーブルに更新登録する処理と、を実行することを特徴とする。
【００１５】
また、本発明のさらに別の観点に係るコンピュータプログラムは、複数の航空機ごとに作成され、上記航空機を識別する機番情報と、各航空機において機用品が備え付けられるべき位置に係る位置情報と、当該位置ごとに備え付けられた機用品の機用品識別情報とが関連付けられた対応テーブルを記憶した第一の対応テーブル記憶手段、を有するコンピュータを、航空機に備え付けられる機用品を識別する機用品識別情報を記憶すると共に、当該機用品識別情報を非接触通信により送信可能な識別タグが取り付けられた機用品が、所定の位置に備え付けられているか否かを管理する機用品管理装置として機能させるためのコンピュータプログラムであって、上記コンピュータに対して、機番情報と共に、当該機番情報に係る対応テーブルの展開要求の入力を受け付けた際、上記第一の対応テーブル記憶手段を参照して、上記入力を受け付けた機番情報に基づく対応テーブルを抽出する処理と、上記抽出された対応テーブルを、表示手段に表示させる処理と、上記機用品に取り付けられた識別タグから、非接触通信により、上記機用品識別情報を受信する処理と、上記展開された対応テーブルを参照して、上記受信した機用品識別情報が、上記展開された対応テーブルに記憶されているものであるか否かを照合する処理と、上記照合の結果、上記受信した機用品識別情報が、上記展開された対応テーブルに記憶されているものであった場合に、当該機用品識別情報に係る機用品が所定の位置に備え付けられていることを示す確認表示を表示手段に表示させる処理と、上記航空機に備え付けられている全ての識別タグから上記機用品識別情報を受信した結果、上記機用品が備え付けられるべき位置であって、上記展開された対応テーブルにおいて関連付けられている機用品識別情報を受信せず、上記機用品の備え付けが確認されなかった位置に係る位置情報に対し、新たな機用品識別情報を受け付け、当該位置情報と、当該新たな機用品識別情報とを関連付けて上記展開されている対応テーブルに更新登録する処理と、を実行させる。
【発明の効果】
【００１６】
本発明によれば、航空機に備え付けられる機用品について、簡単且つ迅速に、備え付け状況を点検することができる。
【図面の簡単な説明】
【００１７】
【図１】本発明の実施形態に係る機用品管理装置による一連の処理の概略を示した模式図である。
【図２】本実施形態に係る機用品管理装置により、航空機内を点検する様子を示した模式図である。
【図３】本実施形態に係る機用品管理装置が有する機能を示した機能ブロック図である。
【図４】本実施形態に係る機用品管理装置が備える認証情報記憶部に記憶されるデータの一例を示した図である。
【図５】本実施形態に係る機用品管理装置が備える第一対応テーブル記憶部、及び管理サーバが備える第二対応テーブル記憶部に記憶される対応テーブルの一例を示した図である。
【図６】本実施形態に係る機用品管理装置を示した外観平面図である。
【図７】対応テーブルを一元管理する管理サーバの機能を示した機能ブロック図である。
【図８】本実施形態に係る機用品管理装置が実行する処理のうち、対応テーブルを展開する処理の流れを示した処理フロー図である。
【図９】本実施形態に係る機用品管理装置上に表示される認証画面の一例を示す模式図である。
【図１０】本実施形態に係る機用品管理装置上に表示される機番選択画面の一例を示す模式図である。
【図１１】本実施形態に係る機用品管理装置上に表示される点検画面の一例を示す模式図であって、点検開始前の状態を示す。
【図１２】本実施形態に係る機用品管理装置が実行する処理のうち、照合処理の流れを示した処理フロー図である。
【図１３】本実施形態に係る機用品管理装置上に表示される点検画面の一例を示す模式図であって、点検後の状態を示す。
【図１４】本実施形態に係る機用品管理装置が実行する処理のうち、新たな機用品を登録する処理の流れを示した処理フロー図である。
【図１５】本実施形態に係る機用品管理装置上に表示される登録画面の一例を示す模式図である。
【発明を実施するための形態】
【００１８】
以下、本発明の実施形態に係る機用品管理装置について、図を参照して説明する。
まず、本実施形態に係る機用品管理装置によって行われる一連の処理の概略について、図１を参照して説明する。
なお、航空機内の座席やギャレイなどには予め、ライフベスト等の機用品３が備え付けられている。この機用品３には、機用品３を個々に識別するための機用品ＩＤを記憶した識別タグ３ａが取り付けられている。この識別タグ３ａには、機用品ＩＤと、当該識別タグ３ａが取り付けられた機用品が備え付けられるべき位置に係る位置情報が記載されている。なお、機用品ＩＤは予め識別タグ３ａに記載されている一方、位置情報は、機用品を備え付けた者が、機用品を所定の位置に備え付けた際に記載する。
識別タグ３ａは例えば、ＲＦＩＤ（Radio Frequency IDentification）タグなどにより構成される。この場合のＲＦＩＤタグ規格は例えば、ＵＨＦ（Ultra HF）の使用周波数が８６０〜９６０ＭＨｚで通信距離が約７ｍのタイプ、マイクロ波の使用周波数が２．４５ＧＨｚで通信距離が約２ｍのタイプなどであり、電池を内蔵せず、機用品管理装置１から送信される電波をエネルギーとして動作してタグの情報を返すパッシブタイプである。パッシブタイプであることにより、航空機５のエンジンが稼動している最中などにおいて、識別タグ３ａが自ら電波を発信して、航空機５の計器に何らかの影響や障害を与えるのを防ぐことができる。
【００１９】
また、本実施形態に係る機用品管理装置１による処理に先立ち、管理サーバ４には、航空機毎に、座席やギャレイなどの位置情報と、この座席やギャレイなどに備え付けられている機用品を識別する機用品ＩＤと、当該機用品の有効期限との対応付けを一覧化した対応テーブルが保持されている。
【００２０】
機用品管理装置１を用いて機用品が所定の場所に備え付けられているかを点検する点検者は、管理サーバ４から、対応テーブルを取得する（Ｓ１）。
対応テーブルの取得は例えば、管理サーバ１に記憶されている対応テーブルを、ＳＤカードなどの可搬型のメモリーカードに転記することによって行われる。
対応テーブルを取得した点検者は、これを機用品管理装置１において読み込むことで、任意の航空機において、どの位置にどの機用品３が備え付けられているかを把握することができる。
【００２１】
点検者は、図２に示されるように、航空機５内の座席（座席番号）５１やギャレイ５２など、航空機内の機用品３が備え付けられた位置を回る。そして各位置において、機用品管理装置１から、機用品ＩＤの質問信号を電波により送信する（Ｓ２）。
これを受信した識別タグ３ａは、応答信号として機用品ＩＤを返す（Ｓ３）。
【００２２】
機用品管理装置１は、受信した機用品ＩＤが対応テーブルに記憶されているものかを判別する。そして、対応テーブルに記憶されている場合には、受信した機用品ＩＤと、対応テーブルにおいて当該機用品ＩＤが関連付けられている位置情報と、当該機用品ＩＤに係る機用品の有効期限情報を点検者に示す（Ｓ４）。なお、有効期限情報とは、対応テーブルに記憶されている有効期限に基づき、有効期限が切れているか、あるいは有効期限が間近に迫っているといった情報である。
【００２３】
航空機内に備え付けられている全ての機用品３に取り付けられた識別タグ３ａから機用品ＩＤを受信して、対応テーブルとの照合を行った結果、機用品ＩＤを検出することのできなかった位置情報や、有効期限が間近に迫っているなどする機用品３があったときは、当該位置に新たな機用品３を設置する。さらに併せて、対応テーブルにおいて、当該位置情報に対し、新たに設置した機用品３に取り付けられた識別タグ３ａの機用品ＩＤ、及び当該機用品３の有効期限を登録する（Ｓ５）。
【００２４】
欠損していた機用品３を補充し、新たな機用品に関する情報が登録された対応テーブルは、管理サーバ４に供給され（Ｓ６）、更新される（Ｓ７）。
このようにして、管理サーバ４において保持される対応テーブルは、各点検者による点検の後に随時更新され、対応テーブルが一元管理されている。
【００２５】
次に、本発明の第一の実施形態に係る機用品管理装置１について、図を参照して説明する。
図３に示されるように、本実施形態に係る機用品管理装置１は、ＣＰＵ（Central Processing Unit）、ＣＰＵが実行するコンピュータプログラム、コンピュータプログラムや所定のデータを記憶するＲＡＭ（Random Access Memory）やＲＯＭ（Reed Only Memory）、あるいはＳＤカード上のメモリ等の記憶装置により、認証情報記憶部１Ａ、第一対応テーブル記憶部１Ｂ、認証処理部１１、対応テーブル抽出部１２、対応テーブル展開部１３、機用品情報取得部１４、照合処理部１５、計時部１６、期限判別処理部１７、結果反映部１８、登録処理部１９、入力部２０、表示部２１の各機能ブロックを構成する。
【００２６】
認証情報記憶部１Ａは、機用品管理装置１を保持する者について、機用品管理装置１により機用品３の点検を行う点検者としての適格を認証するための認証情報を記憶した記憶部である。
この認証情報記憶部１Ａには、図３に示されるように、点検者を識別する点検者ＩＤ、認証するためのパスワード、及び点検者の社員ＩＤが互いに関連付けられ、認証情報として記憶されている。
【００２７】
第一対応テーブル記憶部１Ｂは、航空機５内の座席（座席番号）５１やギャレイ５２といった位置と、当該位置に備え付けられた機用品３、当該機用品３の有効期限との対応関係を示す対応テーブルを記憶した記憶部である。
この対応テーブル記憶部１Ｂには、図５に示されるように、航空機を識別する機番ごとに、各航空機５内の位置情報と、当該位置情報に係る位置に備え付けられる機用品３を識別する機用品ＩＤと、当該機用品３の有効期限を対応させた対応テーブルが複数記憶されている。
【００２８】
認証処理部１１は、機用品管理装置１を保持する者について、機用品管理装置１により機用品３の点検を行う点検者としての適格を認証する処理を実行する。
この処理は、入力部２０により受け付けた点検者ＩＤとパスワードとに基づき、認証情報記憶部１Ａを参照して、点検者ＩＤとパスワードの一致を照合することにより実行される。
【００２９】
対応テーブル抽出部１２は、点検者によって指定された機番に基づき、当該機番に係る対応テーブルを第一対応テーブル情報記憶部１Ｂから抽出する処理を実行する。
【００３０】
対応テーブル展開部１３は、対応テーブル抽出部１２によって抽出された対応テーブルを、表示部２１に表示させる。
【００３１】
機用品情報取得部１４は、航空機５内の所定の位置に備え付けられた機用品３に取り付けられた識別タグ３ａから、機用品ＩＤを取得する。
この機用品情報取得部１３は例えば、指向性の高い電波方式（例えば２．４５ＧＨｚ帯）の送受信アンテナによって構成され、パッシブアンテナが設けられた識別タグ３ａに向けて、質問信号を送信すると共に、識別タグ３ａから応答信号として機用品ＩＤを受信する。
この機用品情報取得部１３によって、識別タグ３ａから、当該識別タグ３ａが取り付けられた機用品３の機用品ＩＤを取得することができる。
【００３２】
照合処理部１５は、対応テーブル抽出部１２によって対応テーブル情報記憶部１Ｂから抽出された対応テーブルを参照して、識別タグ３ａから受信した機用品ＩＤと同じ機用品ＩＤがあるか否かを照合する処理を実行する。
【００３３】
計時部１６は、現在日時を計時する。
この計時部１６により計時された現在日時は、期限判別処理部１７からの要求に応じて、期限判別処理部１６に供給される。
【００３４】
期限判別処理部１７は、照合処理部１５による照合の結果、機用品情報取得部１４により取得した機用品ＩＤが、対応テーブルに記憶されているものであった場合に、計時部１５から供給される現在日時と、対応テーブルに記憶された機用品ＩＤと関連付けられた有効期限とに基づき、現在日時が有効期限を過ぎているか否かを判別する。さらに、この結果、現在日時が有効期限を過ぎていない場合には、当該現在日時から有効期限に至る期間が、所定の期間に至ったか否かを判別することによって、有効期限が間近に迫ったか否かを判別する処理を実行する。
【００３５】
この処理は例えば、計時部１６から供給された現在日時が「２０１０年４月１日」である場合において、ある機用品の有効期限が「２０１１年１０月１日」であったとき、有効期限は過ぎていないものと判別される。一方、同様に計時部１５から供給された現在日時が「２０１０年４月１日」である場合において、ある機用品の有効期限が「２０１０年２月１日」であったときには、有効期限は過ぎているものと判別される。
さらに、所定のテーブル上に保持され、有効期限が間近に迫ったか否かの基準となる所定の期間が１ヶ月の場合であって、現在日時が有効期限を過ぎていないと判別され、計時部１６から供給された現在日時が「２０１０年４月１日」で、ある機用品３の有効期限が「２０１０年４月１６日」であったとき、現在日時から有効期限に至る期間は「１５日」と算出され、当該期間が「１ヶ月」未満であることから、有効期限までの期間が所定の期間に至っている（有効期限が間近に迫っている）ものと判別される。一方、上記所定の期間が同様の場合であって、現在日時が有効期限を過ぎていないと判別され、計時部１６から供給された現在日時が「２０１０年４月１日」で、ある機用品３の有効期限が「２０１０年９月１日」であったとき、現在日時から有効期限に至る期間は「５ヶ月」と算出され、当該期間が「１ヶ月」以上であることから、有効期限までの期間が所定の期間に至っていない（有効期限が間近に迫っていない）ものと判別される。
【００３６】
結果反映部１８は、期限判別処理部１７による期限判別処理の結果、ある機用品３について有効期限が過ぎていない、あるいは過ぎている、若しくは有効期限までの期間が所定の期間に至っている場合に、夫々、表示部２１に対して、有効期限が過ぎていない旨、あるいは過ぎている旨、若しくは有効期限が間近に迫っている旨を表示部２１に表示させる。
【００３７】
登録処理部１９は、点検者が航空機５内を点検し、航空機５に備え付けられている全ての機用品３の識別タグ３ａから機用品ＩＤを取得した上、照合処理部１５による照合を行った結果、機用品３の備え付けられていない位置を発見した場合、あるいは期限判別処理部１６による期限判別の結果、有効期限が切れていたり、期限切れ間近であったりした機用品３を発見した場合において、点検者が新たな機用品３を備え付ける際、位置情報に関連付けて新たな機用品３を登録する処理を実行する。
【００３８】
この処理は、点検者が機用品３の備え付けられていなかった位置に新たな機用品３を備え付けた際、機用品情報取得部１４により、この機用品３に取り付けられている識別タグ３ａから機用品ＩＤを取得した上、対応テーブルにおいて、機用品３の備え付けられていなかった位置に係る位置情報に当該機用品ＩＤを関連付けて記憶させる。
【００３９】
入力部２０は、機用品管理装置１を扱う点検者から、認証情報などの情報の入力を受け付ける。
この入力部２０は例えば、タッチパネルやキーパッドなどにより実現される。
【００４０】
表示部３２は、入力部１８により受け付けた情報や、各処理部による処理の結果を表示する。
この表示部１９は例えば、ＬＣＤ（Liquid Crystal Display）などにより実現される。
【００４１】
以上のような各機能ブロックを備える機用品管理装置１の外観構成の一例を図６に示す。
図６に示されるように、機用品管理装置１は、可搬に適したサイズの筐体１００からなり、中央に表示部３２としてのＬＣＤ１０１が配されているほか、電源ボタン１０２、機用品情報取得部１４に対して機用品ＩＤの取得を指示するための機用品ＩＤ取得ボタン１０３、機用品ＩＤ取得ボタン１０３の押下に応じて、識別タグ３との間で電波の送受を行うアンテナ１０４が設けられている。
なお、図６に示した機用品管理装置１の外観構成はあくまで一例であり、機用品ＩＤ取得ボタン１０３を、タッチパネル形式でＬＣＤ１０１上に表示させるようにしたり、入力パッドを設けたり、アンテナ１０４を筐体１００内に内蔵したりするなど、各種の設計変更が可能である。
【００４２】
続いて、対応テーブルを一元管理する管理サーバ４が備える機能について、図７を参照して説明する。
管理サーバ４は、ＣＰＵ（Central Processing Unit）、ＣＰＵが実行するコンピュータプログラム、コンピュータプログラムや所定のデータを記憶するＲＡＭ（Random Access Memory）やＲＯＭ（Reed Only Memory）、ハードディスクドライブ等の外部記憶装置により、第二対応テーブル記憶部４Ａ、更新処理部４１の各機能ブロックを構成する。
【００４３】
第二対応テーブル記憶部４Ａは、図４により説明した第一対応テーブル記憶部１Ｂと同様に、航空機内の座席（座席番号）やギャレイといった位置と、当該位置に備え付けられた機用品３、当該機用品３の有効期限との対応を示す対応テーブルを記憶した記憶部である。この対応テーブル記憶部４Ａには、航空機５を識別する機番ごとに、各航空機５内の位置情報と、当該位置情報に係る位置に備え付けられる機用品３を識別する機用品ＩＤと、当該機用品３の有効期限を対応させた対応テーブルが複数記憶されている。
この第二対応テーブル記憶部４Ａに記憶されている対応テーブルは、ＳＤカード等の可搬型の外部メモリにコピーして、各機用品管理装置１へ供給することができると共に、逆に各機用品管理装置１から、ＳＤカード等の可搬型の外部メモリを介して取得することもできる。
【００４４】
更新処理部４１は、機用品管理装置１から対応テーブルを取得した際、当該対応テーブルを、第二対応テーブル記憶部４Ａに記憶されている対応テーブルに上書きして、第二対応テーブル記憶部４Ａを更新する処理を実行する。
各機用品管理装置１に対して提供された対応テーブルは、各機用品管理装置１による機用品３の点検の結果、欠損していた機用品３を補充した際に、登録処理部１９によって情報が変更されており、この変更を第二対応テーブル記憶部４Ａに反映することで、対応テーブルの一元的な管理が可能となる。
【００４５】
次に、本実施形態に係る機用品管理装置１による一連の処理の流れについて、図を参照して説明する。
まず予め、ある航空機５に備え付けられた機用品３の点検を行おうとする点検者は、管理サーバ４から、対応テーブルを取得する。この対応テーブルの取得は例えば、ＳＤカード等に、機番毎にまとめられた全ての対応テーブルをコピーして、これを機用品管理装置１に取り込むことにより行われる。
【００４６】
機用品管理装置１に対応テーブルを取り込んだ点検者から要求に応じて、所望の対応テーブルを機用品管理装置１上に展開させる処理の流れを図８に示す。
まず、点検者は、図９の例に示される認証画面上から、機用品管理装置１を扱う適格を有することの認証処理を経る（Ｓ１０１）。
【００４７】
図９に示される認証画面には、認証情報を入力するための点検者ＩＤ入力欄２０１、パスワード入力欄２０２、及び社員番号入力欄２０３、入力した認証情報に基づく認証を要求するためのログインボタン２０４、認証処理を中止するキャンセルボタン２０５、認証情報を入力するためのタッチパネル２０６が設けられている。
【００４８】
点検者は、タッチパネル２０６によって所定の認証情報を各欄に入力すると、ログインボタン２０４を押下して、認証を要求する。
これに応じて認証処理部１１は、入力された認証情報が、認証情報記憶部１Ａに記憶されている情報と一致するか否かを判別する。
この結果、入力された認証情報が、認証情報記憶部１Ａに記憶されている情報と一致しなかった場合には、認証に失敗した旨のメッセージを画面上に表示するなどのエラー処理がされる（Ｓ１０２）。
【００４９】
一方、Ｓ１０１における認証処理の結果、認証に成功した場合には、機用品管理装置１は、図１０の例に示される画面上から、展開を所望する対応テーブルの機番の選択を受け付ける（Ｓ１０３）。
図１０に示される機番の選択画面には、機番のドロップダウンリスト３０１、選択された機番の対応テーブルの展開を要求するＯＫボタン３０２、機番の選択を中止するキャンセルボタン３０３が設けられている。
なお、ドロップダウンリスト３０１は、第一対応テーブル記憶部１Ｂに記憶されている各対応テーブルの機番情報を、選択可能に一覧化したものである。
【００５０】
点検者が所望の機番を選択してＯＫボタン３０２を押下すると、対応テーブル抽出部１２は、第一対応テーブル情報記憶部１Ｂを参照して、指定された機番の対応テーブルを抽出する（Ｓ１０４）。
【００５１】
さらに、抽出された対応テーブルは、対応テーブル展開部１３によって、機用品管理装置１の画面上に展開される（Ｓ１０５）。このときの画面構成の一例を図１１に示す。
図１１に示されるように、対応テーブルが展開された画面は、機用品３が所定の位置に備え付けられているか否かを確認するための点検画面であり、展開されている対応テーブルの機番表示欄４０１、対応テーブル表示欄４０２、ステータス説明欄４０３が設けられている。
【００５２】
対応テーブル表示欄４０２には、第一対応テーブル情報記憶部１Ｂから抽出された対応テーブルの情報を反映して、位置情報表示欄４０２ａ、機用品ＩＤ表示欄４０２ｂが設けられている。また、点検による機用品の備え付け状況を示すステータス表示欄４０２ｃとからなる。
なお、本例においては、各機用品ＩＤに係る機用品３の有効期限を表示していないが、各機用品ＩＤに関連付けて有効期限を表示するようにしてもよい。
【００５３】
ステータス表示欄４０２ｃは、この後に実行される点検処理による点検結果が反映される項目であり、対応テーブルを読み込んだ初期の状態においては、全て「未確認（ダッシュ記号）」の状態となっている。
このステータス表示欄４０２ｃは、点検が行われるに従って、結果反映部１８により、問題なく備え付けられていることを示す「ＯＫ（丸印）」表示、有効期限が間近に迫っていることを示す「期限切れ間近（三角印）」表示、有効期限を過ぎていることを示す「期限切れ（バツ印）」の表示に変更される。なお、該当する機用品３に係る機用品ＩＤを取得しなかった場合には、当該機用品３のステータスは「未確認（ダッシュ記号）」のままとなる。
【００５４】
次に、展開された対応テーブルに基づいて行われる点検処理の流れを、図１２により説明する。
点検者は、対応テーブルを展開した機番に係る航空機５内を回り、機用品３が備え付けられているべき位置に向けて機用品ＩＤ取得ボタン１０３を押下する。
これに応じて機用品管理装置１は、アンテナ１０４から電波を送信し、この電波を受けた識別タグ３ａから機用品ＩＤを受信する（Ｓ２０１）。
【００５５】
照合処理部１５は、展開されている対応テーブルを参照して、受信した機用品ＩＤがあるか否かを判別する（Ｓ２０２）。
この結果、一致する機用品ＩＤがなかった場合には、一致する機用品ＩＤが対応テーブルに記憶されていない旨のメッセージを画面上に表示するなどのエラー処理が実行される（Ｓ２０３）。
【００５６】
一方、Ｓ２０２による判別処理の結果、一致する機用品ＩＤが対応テーブルにあった場合には、期限判別処理部１７によって、当該機用品ＩＤが有効期限を過ぎていないかどうか判別される（Ｓ２０４）。
この処理は、計時部１６によって計時された現在日時と、対応テーブルにおいて機用品ＩＤと関連付けられている有効期限を比較することによって実行される。
この結果、現在日時が有効期限を過ぎていた場合には、結果反映部１８により、図１３に示されるように、該当する機用品ＩＤのステータス表示欄５０２ｃにおいて、「未確認（ダッシュ記号）」から「期限切れ（×印）」にステータスが変更される（Ｓ２０５）。
【００５７】
一方、Ｓ２０４による判別処理の結果、現在日時が有効期限を過ぎていなかった場合には、期限別処理部１７はさらに、現在日時から有効期限に至る期間が所定の期間に至っているか否かを判別する（Ｓ２０６）。
なお、所定の期間は例えば所定のテーブル上に記憶され、機用品の取替え期間として、例えば「１ヶ月」と記憶されている。
この結果、機用品ＩＤを取得した機用品３の有効期限までの期間が、現在日時から上記所定の期間に至っていた場合には、結果反映部１８により、該当する機用品ＩＤのステータス表示欄５０２ｃにおいて、「未確認（ダッシュ記号）」から「期限切れ間近（三角印）」にステータスが変更される（Ｓ２０７）。
【００５８】
さらに、Ｓ２０６による判別処理の結果、機用品ＩＤを取得した機用品の有効期限が、現在日時から上記所定の期間に至っていない場合には、結果反映部１８により、該当する機用品ＩＤのステータス表示欄５０２ｃにおいて、「未確認（ダッシュ記号）」から「ＯＫ（丸印）」にステータスが変更される（Ｓ２０８）。
【００５９】
なお、このように機用品ＩＤを取得して点検を行う際、取得した機用品ＩＤのステータスが表示された際、当該機用品ＩＤに係る機用品３が備え付けられている位置に係る位置情報に基づき、当該位置を目視により確認して、機用品３の識別タグ３ａに記載されている機用品ＩＤや位置情報を確認することもできる。
【００６０】
点検者が機用品３の識別タグ３ａから機用品ＩＤを取得するたびに、以上において説明したＳ２０１からＳ２０８の処理が行われ、航空機５内に備え付けられている全ての機用品３から機用品ＩＤを取得されると、図１３に示されるように、航空機内における全ての機用品の備え付け状況が一覧として把握される。
【００６１】
そして、点検者は、この一覧に基づいて、ステータスが「期限切れ間近（三角印）」、「期限切れ（バツ印）」、「未確認（ダッシュ記号）」であった位置に新たな機用品を備え付ける。
この際、新たな機用品３を対応テーブルに登録して、対応テーブルを更新する。この登録処理の流れを図１４により説明する。
まず、点検者は、新たな機用品３を用意し、当該機用品３に取り付けられている識別タグ３ａに、備え付けるべき位置に係る位置情報を記載しておく。
【００６２】
それから、図１５に示される登録画面上から、機用品３の登録を行う。
図１５に示される登録画面上には、機用品３を備え付ける航空機５の機番を示す機番表示欄６０１、新たな機用品３を備え付ける位置に係る位置情報を入力する位置情報入力欄６０２、新たに備え付ける機用品３の機用品ＩＤ表示欄６０３、新たな機用品３の有効期限入力欄６０４、入力した内容により新たな機用品３の登録を要求するＯＫボタン６０５、登録の処理を中止するキャンセルボタン６０６が設けられると共に、各種の情報を入力するためのタッチパネル６０７が表示されている。
なお、位置情報と有効期限は、点検者がタッチパネル６０７を用いて入力する一方、機用品ＩＤは、機用品情報取得部１４によって識別タグ３ａから受信した機用品ＩＤを反映させることができる。ただし、本発明の実施においては、必ずしも機用品ＩＤは識別タグ３ａから受信する構成としなければならないということはなく、タッチパネル６０７によって点検者が入力するようにしてもよい。
【００６３】
点検者は、新たに登録する機用品３に記載した位置情報と同じ位置情報を、位置情報入力欄６０２に入力する（Ｓ３０１）。
また、機用品ＩＤ取得ボタン１０３を押下することで機用品情報取得部１４によって識別タグ３ａから機用品ＩＤが取得され、当該機用品ＩＤが機用品ＩＤ表示欄６０３に表示される（Ｓ３０２）。
さらに、機用品３の有効期限を、有効期限入力欄６０４に入力する（Ｓ３０３）。
【００６４】
点検者は、位置情報、機用品ＩＤ、及び有効期限を入力し終えると、ＯＫボタン６０５を押下する。これに応じて機用品管理装置１は、登録処理部１９により、第一対応テーブル記憶部１Ｂを参照して、展開されている対応テーブルの指定された位置情報に対応付けて、機用品ＩＤと有効期限とを記憶する。（Ｓ３０４）。
有効期限切れ、有効期限間近、あるいは機用品が確認できなかった全ての位置において、新たな機用品３を上記のとおり登録することで、機用品３の備え付けが万全の状態となる。
【００６５】
最後に、新たな機用品３に関する情報が登録された対応テーブルは、ＳＤカード等のメモリーカードを介して管理サーバ４に読み込ませる。
これに応じて管理サーバ４の更新処理部４１は、読み込んだ対応テーブルの機番に基づき、第二対応テーブル記憶部４Ａを参照して、該当する対応テーブルに上書きして対応テーブルを更新する。
これにより、対応テーブル記憶部４Ａの対応テーブルは常に新しく維持され、複数の点検者が、この対応テーブルに基づいて正確な点検を行うことができる。
以上の本実施形態により、航空機５に備え付けられる機用品３について、簡単且つ迅速に、備え付け状況を点検することができる。
【００６６】
なお、本実施形態においては、対応テーブルにおいて、機用品３ごとの有効期限を記憶するものとしてが、これに限らず、識別タグ３ａに、機用品３の製造年月日ないしはオーバーホールの日付等を記憶しておくものとしてもよい。この場合には例えば、所定のテーブル上に、機用品３の製造年月日ないしはオーバーホールの日付から有効期限に至る期間情報（例えば、「製造年月日ないしはオーバーホールの日付から３年で有効期限」、あるいは「製造年月日ないしはオーバーホールの日付から２年１１ヶ月で期限切れ間近」など）を保持しておく。そして、期限判別処理部１７によって、現在日時を基準に、識別タグ３ａから受信した製造年月日ないしはオーバーホールの日付からの期間を算出して、上記期間に該当するか否かを判別する。この例によっても、有効期限に基づくステータス表示が可能である。
【００６７】
また、本実施形態においては、機用品３を備え付ける位置として、座席（席番）５１やギャレイ５２を挙げたが、これに限らず、操縦室や収納庫など、航空機５内の様々な場所を、機用品３を備え付ける位置とすることもでき、特に位置が限定されることはない。
【００６８】
また、本実施形態に係る機用品管理装置１について、航空機５から、航空機５の動作状況（エンジン始動中、エンジン停止中、飛行中、あるいは着陸中）を信号として受信し、航空機５がエンジンを停止して、計器類に障害を起こさない状況でのみ動作するようにしてもよい。
【符号の説明】
【００６９】
１      機用品管理装置
１Ａ    認証情報記憶部
１Ｂ    第一対応テーブル記憶部
１１    認証処理部
１２    対応テーブル抽出部
１３    対応テーブル展開部
１４    機用品情報取得部
１５    照合処理部
１６    計時部
１７    期限判別処理部
１８    結果反映部
１９    登録処理部
２０    入力部
２１    表示部
３      機用品
３ａ    識別タグ
４      管理サーバ
４Ａ    第二対応テーブル記憶部
４１    更新処理部
５      航空機
５１    座席
５２    ギャレイ
【図１】
2011225044.tif 000003
【図２】
2011225044.tif 000004
【図３】
2011225044.tif 000005
【図４】
2011225044.tif 000006
【図５】
2011225044.tif 000007
【図６】
2011225044.tif 000008
【図７】
2011225044.tif 000009
【図８】
2011225044.tif 000010
【図９】
2011225044.tif 000011
【図１０】
2011225044.tif 000012
【図１１】
2011225044.tif 000013
【図１２】
2011225044.tif 000014
【図１３】
2011225044.tif 000015
【図１４】
2011225044.tif 000016
【図１５】
2011225044.tif 000017